(57)【特許請求の範囲】
【請求項１】
機器固有の識別情報の登録要求を受信する第１の受信手段と、
前記登録要求に応じて画像処理の実行が許可された前記固有の識別情報を記憶する記憶手段と、
固有の識別情報を有する機器から前記固有の識別情報を取得する取得手段を有する情報処理装置から、前記取得した固有の識別情報を含む要求情報を受信する第２の受信手段と、
前記受信した要求情報が、所定の画像処理を要求する画像処理要求であり、かつ前記画像処理の実行が許可された識別情報を含む場合、前記画像処理要求に基づいて前記所定の画像処理を実行する画像処理手段と、
を有する画像処理装置。
【請求項２】
前記受信した要求情報が、前記画像処理要求であり、かつ前記画像処理の実行が許可された識別情報を含まない場合、前記画像処理要求を拒否又は無視する請求項１に記載の画像処理装置。
【請求項３】
前記受信した要求情報が、前記取得した固有の識別情報の登録を要求する登録要求である場合、前記取得した固有の識別情報を前記画像処理の実行が許可された識別情報として前記記憶手段に記憶する登録手段を有する請求項１に記載の画像処理装置。
【請求項４】
前記記憶手段は、前記画像処理の実行が許可された複数の識別情報を記憶可能であって、
前記画像処理装置は、
前記記憶手段に記憶された前記画像処理の実行が許可された複数の識別情報の中から、選択された識別情報を無効化する無効化手段を有する請求項１乃至３のいずれか一項に記載の画像処理装置。
【請求項５】
請求項１乃至４のいずれか一項に記載の画像処理装置と通信可能な情報処理装置であって、
固有の識別情報を有する機器から前記固有の識別情報と画像処理装置の接続情報とを取得する取得手段と、
前記取得した接続情報に基づいて、前記取得した固有の識別情報を含み、所定の画像処理を要求する画像処理要求を前記画像処理装置に送信する送信手段と、
を有する情報処理装置。
【請求項６】
画像処理装置と、前記画像処理装置に対応して設けられた固有の識別情報を有する機器と、前記画像処理装置と通信可能な情報処理装置と、を含む画像処理システムであって、
前記情報処理装置は、
前記固有の識別情報を有する機器から前記固有の識別情報を取得する取得手段と、
前記取得した固有の識別情報を含む要求情報を前記画像処理装置に送信する送信手段と、
を有し、
前記画像処理装置は、
機器固有の識別情報の登録要求を受信する第１の受信手段と、
前記登録要求に応じて画像処理の実行が許可された前記固有の識別情報を記憶する記憶手段と、
前記情報処理装置から前記要求情報を受信する第２の受信手段と、
前記受信した要求情報が、所定の画像処理の実行を要求する画像処理要求であり、かつ前記画像処理の実行が許可された識別情報を含む場合、前記画像処理要求に基づいて前記所定の画像処理を実行する画像処理手段と、
を有することを特徴とする画像処理システム。
【請求項７】
前記情報処理装置は、
前記取得手段による前記固有の識別情報の取得に応じて、前記要求情報の送信を行う請求項６に記載の画像処理システム。
【請求項８】
前記取得手段は、
前記固有の識別情報を有する機器から、前記固有の識別情報に加えて前記画像処理装置の接続情報を取得し、
前記送信手段は、
前記取得した接続情報に基づいて前記要求情報を前記画像処理装置に送信する請求項６又は７に記載の画像処理システム。
【請求項９】
前記取得手段は、
近距離無線通信により、前記固有の識別情報を有する機器から前記固有の識別情報を取得する請求項６乃至８のいずれか一項に記載の画像処理システム。
【請求項１０】
前記固有の識別情報を有する機器は、ＮＦＣタグであることを特徴とする請求項６乃至９のいずれか一項に記載の画像処理システム。
【発明の詳細な説明】
【技術分野】
【０００１】
本発明は、画像処理装置、情報処理装置、及び画像処理システムに関する。
【背景技術】
【０００２】
ＭＦＰ（Multifunction Peripheral/Product）は、印刷、スキャン、コピー、ファクシミリ等の複数の機能を搭載した画像形成装置である。近年、スマートフォンや、タブレット端末等のＮＦＣ（Near Field Communication）機能を有するスマートデバイスを、ＮＦＣタグにかざすことにより画像形成を実行するＭＦＰ等の画像形成装置が知られている。
【０００３】
また、リモート端末から画像の読取要求を受けた場合、読取要求に所定のパスワードが設定されているか否かを判断し、所定のパスワードが設定されていない場合、リモート端末への画像の送信を行わない画像形成装置が知られている（例えば、特許文献１参照）。
【発明の概要】
【発明が解決しようとする課題】
【０００４】
ＮＦＣタグにスマートデバイスをかざすことにより画像形成を行う画像形成装置では、例えば、ＮＦＣタグが不正に持ち出された場合等、利用者が読取中の画像を、ＮＦＣタグを不正に持ち出した第３者によって取得されてしまう恐れがある。また、特許文献１に開示された技術では、利用者が、画像形成装置が管理するパスワードを入手し、入手したパスワードを用いて画像形成装置に画像の読取要求を行う等、利用者による認証情報等の設定作業が発生する。
【０００５】
このように、画像形成装置等の画像処理装置において、第三者による画像処理装置の不正な利用を抑制しつつ、画像処理を行う利用者による設定作業を低減させることには困難を伴っていた。
【０００６】
本発明の実施の形態は、上記問題点に鑑みてなされたものであって、第三者による画像処理装置の不正な利用を抑制しつつ、画像処理を行う利用者による設定作業を低減させることを容易にする画像処理装置を提供することを目的とする。
【課題を解決するための手段】
【０００７】
上記課題を解決するため、本発明の一実施形態に係る画像処理装置は、機器固有の識別情報の登録要求を受信する第１の受信手段と、前記登録要求に応じて画像処理の実行が許可された前記固有の識別情報を記憶する記憶手段と、固有の識別情報を有する機器から前記固有の識別情報を取得する取得手段を有する情報処理装置から、前記取得した固有の識別情報を含む要求情報を受信する第２の受信手段と、前記受信した要求情報が、所定の画像処理を要求する画像処理要求であり、かつ前記画像処理の実行が許可された識別情報を含む場合、前記画像処理要求に基づいて前記所定の画像処理を実行する画像処理手段と、を有する。
【発明の効果】
【０００８】
本発明の実施の形態によれば、第三者による画像処理装置の不正な利用を抑制しつつ、画像処理を行う利用者による設定作業を低減させることを容易にする画像処理装置を提供することができる。
【図面の簡単な説明】
【０００９】
【図１】一実施形態に係る画像処理システムの構成例を示す図である。
【図２】一実施形態に係る画像形成装置のハードウェア構成例を示す図である。
【図３】一実施形態に係る情報端末のハードウェア構成例を示す図である。
【図４】第１の実施形態に係る画像処理システムの機能構成図である。
【図５】第１の実施形態に係る画像形成処理の例を示すシーケンスチャートである。
【図６】第１の実施形態に係る識別情報の登録処理の例を示す図である。
【図７】第１の実施形態に係る認証の解除処理の一例を示す図である。
【図８】第１の実施形態に係る認証の解除処理の別の一例を示す図である。
【図９】第１の実施形態に係る実行許可情報の変更処理の例を示すシーケンスチャートである。
【図１０】第２の実施形態に係る識別情報の登録処理の例を示すシーケンスチャートである。
【発明を実施するための形態】
【００１０】
以下に、本発明の実施の形態について、添付の図面を参照して説明する。
【００１１】
＜システムの構成＞
図１は一実施形態に係る画像処理システムの構成例を示す図である。画像処理システム１００は、例えば、インターネット、ＬＡＮ等のＩＰ（Internet Protocol）ネットワークであるネットワーク１０４を介して、画像形成装置１０１と、情報端末１０２とが通信可能に接続されている。また、画像形成装置１０１に対応してＮＦＣ（Near Field Communication）タグ１０３が、例えば、画像形成装置１０１、又は画像形成装置１０１の周囲（例えば、画像形成装置１０１の周囲の壁、柱、机等）に設置されている。
【００１２】
画像形成装置１０１は、例えば、印刷、スキャン、コピー、ファクシミリ等の複数の機能を１つの筐体に収めたＭＦＰ（Multifunction Peripheral/Product）である。或いは、画像形成装置１０１は、プリンタ、スキャナ、コピー機、ファクシミリ装置等の単機能の画像形成装置であっても良い。尚、画像形成装置１０１は、本実施形態に係る画像処理装置の一例である。
【００１３】
画像形成装置１０１は、例えば、有線／無線ＬＡＮ等によってネットワーク１０４に接続されている。或いは、画像形成装置１０１は、例えば、Ｗｉ−Ｆｉ Ｄｉｒｅｃｔ（登録商標）や、無線ＬＡＮのアクセスポイントの機能を有し、自ら無線ＬＡＮによるネットワーク１０４を提供するものであっても良い。
【００１４】
情報端末１０２は、例えば、スマートフォンや、タブレット端末等の情報処理装置である。また、情報端末１０２は、携帯電話、タブレット端末、ゲーム機、ＰＤＡ、デジタルカメラ等の電子機器であっても良い。情報端末１０２は、例えば、無線ＬＡＮ等によってネットワーク１０４に接続することができる。
【００１５】
また、情報端末１０２は、ＮＦＣ通信機能を有しており、情報端末１０２をＮＦＣタグ１０３に所定の距離（例えば、１０ｃｍ以内）まで近接させることにより、ＮＦＣタグ１０３とＮＦＣ通信を行うことができる。尚、ＮＦＣ通信は、近距離無線通信の一例であり、情報端末１０２は、他の通信規格等に基づいて近距離無線通信を行うものであっても良い。
【００１６】
ＮＦＣタグ１０３は、ＮＦＣタグ１０３の固有の識別情報であるタグＩＤを記憶しており、例えば、情報端末１０２が近接した場合、タグＩＤを含むタグ情報を、近距離無線通信により情報端末１０２に送信する。好ましくは、ＮＦＣタグ１０３は、画像形成装置１０１の接続情報（例えば、ＩＰアドレス等）を記憶しており、近接した情報端末１０２に、タグＩＤと共に画像形成装置１０１の接続情報を含むタグ情報を送信する。ＮＦＣタグ１０３は、画像形成装置１０１や、周囲の壁、柱、机等に、利用者が情報端末１０２を近接させ易いように設置（貼付等）されていることが望ましい。
【００１７】
尚、ＮＦＣタグ１０３は、固有の識別情報を有する機器の一例である。例えば、ＮＦＣタグ１０３は、画像形成装置１０１に取付け、又は内蔵されたＮＦＣリーダ／ライタ等、ＮＦＣタグ以外の近距離無線装置であっても良い。
【００１８】
上記構成により、利用者は、情報端末１０２を、画像形成装置１０１に対応して設けられたＮＦＣタグ１０３にかざす（近接させる）ことにより、画像形成装置１０１の接続情報を取得し、情報端末１０２と画像形成装置１０１の間の通信を確立することができる。
【００１９】
また、情報端末１０２には、画像形成装置１０１の画像形成機能を利用するためのアプリケーションプログラムがインストールされており、情報端末１０２をＮＦＣタグ１０３にかざすことにより、画像形成装置１０１に所定の画像形成を要求することができる。例えば、利用者は、画像形成装置１０１にスキャン対象となる原稿をセットして、情報端末１０２をＮＦＣタグ１０３にかざすことにより、画像形成装置１０１にスキャンの実行要求を送信することができる。スキャンの実行要求を受信した画像形成装置１０１は、セットされた原稿を読取り、読取った画像データを情報端末１０２に送信する。
【００２０】
本実施の形態に係る画像処理システム１００では、情報端末１０２が画像形成装置１０１に送信する画像処理要求には、情報端末１０２がＮＦＣタグ１０３から取得したＮＦＣタグ１０３の固有の識別情報（タグＩＤ）が含まれる。また、画像形成装置１０１は、画像処理の実行が許可されたタグＩＤを予め記憶しており、情報端末１０２から受信した画像処理の実行要求に含まれるタグＩＤが、予め記憶したタグＩＤと一致した場合に、所定の画像処理を実行する。
【００２１】
従って、本実施形態に係る画像処理システム１００よれば、情報端末１０２を画像形成装置１０１に予め登録されたＮＦＣタグ１０３にかざした場合のみ、画像形成装置１０１が所定の画像処理を行う仕組みを提供することができる。
【００２２】
つまり、本実施形態に係る画像処理システム１００によれば、第三者による画像形成装置１０１（画像処理装置）の不正な利用を抑制しつつ、画像処理を行う利用者の設定作業等を低減させることを容易にする。
【００２３】
＜ハードウェア構成＞
（画像形成装置のハードウェア構成）
図２は、一実施形態に係る画像形成装置のハードウェア構成例を示す図である。ここでは、画像形成装置１０１がＭＦＰである場合ハードウェア構成例について説明する。尚、画像形成装置１０１、及びＭＦＰは、画像処理装置の一例である。
【００２４】
画像形成装置１０１は、例えば、コントローラボード２００と、オペレーションパネル２０９と、ＦＣＵ（Facsimile Control Unit）２１０と、プリンタ２１１、スキャナ２１２等のハードウェアエンジンと、を有する。
【００２５】
コントローラボード２００は、一般的なコンピュータの構成を含んでおり、例えば、ＣＰＵ（Central Processing Unit）２０１、システムメモリ２０２、ＮＢ（North Bridge）２０３、ＳＢ（South Bridge）２０４、ＡＳＩＣ（Application Specific Integrated Circuit）２０６、ローカルメモリ２０７、ＨＤＤ（Hard Disk Drive）２０８、ＮＩＣ（Network Interface Card）２１３、ＵＳＢ（Universal Serial Bus）インタフェース２１４、ＩＥＥＥ１３９４インタフェース２１５、セントロニクスインタフェース２１６等を有する。
【００２６】
オペレーションパネル２０９は、コントローラボード２００のＡＳＩＣ２０６に接続されている。また、ＳＢ２０４、ＮＩＣ２１３、ＵＳＢインタフェース２１４、ＩＥＥＥ１３９４インタフェース２１５、及びセントロニクスインタフェース２１６は、ＮＢ２０３にＰＣＩバスで接続されている。また、ＦＣＵ２１０、プリンタ２１１、スキャナ２１２は、コントローラボード２００のＡＳＩＣ２０６にＰＣＩバスで接続されている。
【００２７】
尚、コントローラボード２００は、ＡＳＩＣ２０６にローカルメモリ２０７、ＨＤＤ２０８等が接続されると共に、ＣＰＵ２０１とＡＳＩＣ２０６とがＣＰＵチップセットのＮＢ２０３を介して接続されている。また、ＡＳＩＣ２０６とＮＢ２０３とは、ＰＣＩバスを介して接続されているのではなく、高速化のために、ＡＧＰ（Accelerated Graphics Port）２０５を介して接続されている。
【００２８】
ＣＰＵ２０１は、画像形成装置１０１の全体制御を行うプロセッサである。ＣＰＵ２０１は、ＨＤＤ２０８等に記憶されたオペレーティングシステム、アプリケーション、各種サービス等のプログラムを実行し、画像形成装置１０１の各機能を実現する。
【００２９】
ＮＢ２０３は、ＣＰＵ２０１、システムメモリ２０２、ＳＢ２０４及びＡＳＩＣ２０６を接続するためのブリッジである。システムメモリ２０２は、画像形成装置１０１の描画用メモリ等として用いるメモリである。ＳＢ２０４は、ＮＢ２０３とＰＣＩバス、周辺デバイスとを接続するためのブリッジである。また、ローカルメモリ２０７は、例えば、コピー用画像バッファ、符号バッファとして用いられるメモリである。システムメモリ２０２又はローカルメモリ２０７は、以下の説明で、単にメモリ、又は記憶領域と表現する場合がある。
【００３０】
ＡＳＩＣ２０６は、画像処理用のハードウェア要素を有する画像処理用途向けの集積回路である。ＨＤＤ２０８は、例えば、画像、プログラム、フォントデータ、フォーム等の蓄積を行うためのストレージ装置である。
【００３１】
また、オペレーションパネル２０９は、ユーザからの入力操作を受付けるためのハードウェア（操作部）であると共に、ユーザに向けた表示を行うハードウェア（表示部）である。ＦＣＵ２１０は、例えば、Ｇ３ ＦＡＸ（Group 3 Facsimile）等の規格に従ってＦＡＸデータの送受信を行う。プリンタ２１１は、例えば、ＣＰＵ２０１で動作するプログラム等の制御に応じて印刷を行う。スキャナ２１２は、例えば、ＣＰＵ３０１で動作するプログラム等の制御に応じて画像の読取を行う。
【００３２】
ＮＩＣ２１３は、画像形成装置１０１をネットワークに接続し、データの送受信を行うための通信インタフェースである。ＵＳＢインタフェース２１４は、例えば、ＵＳＢメモリ等の記録媒体や、各種ＵＳＢ機器を接続するためのシリアルバスインタフェースである。ＩＥＥＥ１３９４インタフェース２１５は、高速シリアルバス規格のＩＥＥＥ１３９４に準拠した機器を接続するためのインタフェースである。セントロニクスインタフェース２１６は、パラレルポートの仕様であるセントロニクス仕様に準拠した機器を接続するためのインタフェースである。
【００３３】
（情報端末のハードウェア構成）
図３は、一実施形態に係る情報端末のハードウェア構成例を示す図である。情報端末１０２は、一般的なコンピュータの構成を有しており、例えば、ＣＰＵ３０１、ＲＡＭ（Random Access Memory）３０２、ＲＯＭ（Read Only Memory）３０３、ストレージ部３０４、外部Ｉ／Ｆ（Interface）部３０５、表示入力部３０６、通信Ｉ／Ｆ部３０７、近距離無線通信部３０８、カメラ部３０９、及びバス３１０等を含む。
【００３４】
ＣＰＵ３０１は、ＲＯＭ３０３やストレージ部３０４等に格納されたプログラムやデータをＲＡＭ３０２上に読み出し、処理を実行することで、情報端末１０２の各機能を実現する演算装置である。ＲＡＭ３０２は、ＣＰＵ３０１のワークエリア等として用いられる揮発性のメモリである。ＲＯＭ３０３は、電源を切ってもプログラムやデータを保持する不揮発性のメモリであり、例えば、フラッシュＲＯＭ等により構成される。
【００３５】
ストレージ部３０４は、例えば、ＨＤＤや、ＳＳＤ（Solid State Drive）等のストレージ装置であり、例えば、ＯＳ（Operation System）、アプリケーションプログラム、及び各種データ等を記憶する。外部Ｉ／Ｆ部３０５は、外部装置とのインタフェースである。外部装置には、例えば、ＵＳＢメモリ、メモリカード、光学ディスク等の記録媒体３１１等が含まれる。
【００３６】
表示入力部３０６は、例えば、タッチパネルとディスプレイが一体化されたタッチパネルディスプレイ等であり、情報端末１０２に操作を行うための入力部と、情報端末１０２の処理結果等を表示する表示部とを含む。尚、表示入力部３０６は、表示部と入力部とが別々に設けられているものであっても良いし、表示部及び入力部の少なくとも一つが情報端末１０２の外部に設けられているものであっても良い。
【００３７】
通信Ｉ／Ｆ部３０７は、情報端末１０２をネットワーク１０４に接続するためのインタフェースである。情報端末１０２は、通信Ｉ／Ｆ部３０７を介して、画像形成装置１０１等とデータの送受信を行うことができる。
【００３８】
近距離無線通信部３０８は、ＮＦＣタグ１０３等と近距離無線通信を行うためのインタフェースである。情報端末１０２は、近距離無線通信部３０８をＮＦＣタグ１０３に近接させることにより、ＮＦＣタグ１０３とＮＦＣ通信を行う。カメラ部３０９は、対象物を撮像して画像を取得する。バス３１０は、上記各構成要素に共通に接続され、アドレス信号、データ信号、及び各種制御信号等を伝送する。
【００３９】
［第１の実施形態］
＜機能構成＞
図４は、第１の実施形態に係る画像処理システムの機能構成図である。画像処理システム１００は、ネットワーク１０４に接続された画像形成装置１０１、画像形成装置１０１に対応して設けられたＮＦＣタグ１０３、及びネットワーク１０４に接続可能な情報端末１０２を有する。
【００４０】
（画像形成装置の機能構成）
画像形成装置１０１は、通信手段４０１、記憶手段４０２、判断手段４０３、画像処理手段４０４、登録手段４０５、無効化手段４０６、表示入力手段４０７、認証手段４０８等を有する。
【００４１】
通信手段４０１は、画像形成装置１０１をネットワーク１０４と接続し、情報端末１０２との通信を行うための手段である。通信手段４０１は、例えば、図２のＮＩＣ２１３や、ＣＰＵ２０１で動作するプログラム等によって実現される。また、通信手段４０１は、受信手段４０９と、送信手段４１０とを含む。
【００４２】
受信手段４０９は、タグＩＤ（固有の識別情報）を記憶するＮＦＣタグ１０３から、タグＩＤを取得するＮＦＣ通信手段（取得手段）４１３を有する情報端末（情報処理装置）１０２から、取得したタグＩＤを含む要求情報を受信する。送信手段４１０は、画像処理手段４０４による所定の画像処理（例えば、スキャン処理）によって生成されたデータを情報端末１０２に送信する。
【００４３】
記憶手段４０２は、画像処理を実行することが許可されたタグＩＤ（識別情報）を、実行許可情報４１２として記憶する。また、記憶手段４０２は、認証手段４０８が認証に用いる認証情報４１１等の情報も記憶可能である。記憶手段４０２は、例えば、図２のＨＤＤ２０８等によって実現される。
【００４４】
判断手段４０３は、受信手段４０９が受信した要求情報の種別や、要求情報に含まれるタグＩＤ等に応じて処理内容を判断する手段であり、例えば、図２のＣＰＵ２０１で動作するプログラムによって実現される。
【００４５】
判断手段４０３は、受信手段４０９が受信した要求情報が、所定の画像処理を要求する画像処理要求であり、かつ実行許可情報４１２に記憶された画像処理の実行が許可されたタグＩＤを含む場合、受信した画像処理要求を画像処理手段４０４に通知する。一方、受信手段４０９が受信した要求情報が、所定の画像処理を要求する画像要求であり、かつ所定の画像処理の実行が許可されたタグＩＤを含まない場合、受信した画像処理要求を、例えば、拒否又は無視する。
【００４６】
また、判断手段４０３は、受信手段４０９が受信した要求情報が、情報端末１０２が取得した識別情報の登録を要求する登録要求である場合、受信した登録要求を登録手段４０５に通知する。
【００４７】
尚、図４の機能構成はあくまで一例であり、上記の判断手段４０３の各機能は、受信手段４０９、画像処理手段４０４、登録手段４０５等が有していても良い。
【００４８】
画像処理手段４０４は、画像形成装置１０１が提供する所定の画像処理、例えば、画像形成装置１０１がＭＦＰである場合、印刷、コピー、スキャン、ファックス送受信等を実行する。画像処理手段４０４は、例えば、図２のＦＣＵ２１０、プリンタ２１１、スキャナ２１２等と、ＣＰＵ２０１で動作するプログラムによって実現される。
【００４９】
上記構成により、受信手段４０９が受信した要求情報が、所定の画像処理を要求する画像処理要求であり、かつ受信した要求情報が所定の画像処理の実行が許可されたタグＩＤを含む場合、画像処理手段４０４は画像処理要求に基づいて所定の画像処理を実行する。
【００５０】
一方、受信手段４０９が受信した要求情報が、所定の画像処理を要求する画像処理要求であり、かつ受信した要求情報が所定の画像処理の実行が許可されたタグＩＤを含まない場合、画像形成装置１０１は、受信した画像処理要求を拒否、又は無視する。
【００５１】
登録手段４０５は、所定の画像処理が許可されたタグＩＤを記憶手段４０２に実行許可情報４１２として記憶する手段であり、例えば、図２のＣＰＵ２０１で動作するプログラムによって実現される。
【００５２】
登録手段４０５は、受信手段４０９が受信した要求情報が、情報端末１０２が取得した識別情報の登録を要求する登録要求である場合、受信した登録要求に含まれるタグＩＤを記憶手段４０２の実行許可情報４１２に記憶（登録）する。
【００５３】
無効化手段４０６は、記憶手段４０２に記憶された所定の画像処理の実行が許可されたタグＩＤの中から、指定されたタグＩＤを無効化するための手段であり、例えば、図２のＣＰＵ２０１で動作するプログラムによって実現される。無効化手段４０６は、例えば、表示入力手段４０７等に、実行許可情報４１２の編集画面を表示させて、管理者によって選択されたタグＩＤを削除、或いは不許可に設定して、無効化させる。
【００５４】
尚、管理者とは、画像形成装置１０１の管理を行う利用者である。例えば、企業等、複数の利用者が画像形成装置１０１を利用する環境では、任意の利用者が実行許可情報４１２を自由に変更できることは、必ずしも望ましくない。このような場合、予め定められた利用者を管理者として登録し、管理者が実行許可情報４１２の管理や、ＮＦＣタグ１０３の設置等を行うことが望ましい。一方、家庭内や、少人数の事務所等では、各利用者が管理者として、実行許可情報４１２の管理や、ＮＦＣタグ１０３の設置等を行うものであっても良い。
【００５５】
ここで、実行許可情報４１２について説明する。
【００５６】
【表１】
0006536092.tif 000002
表１は、実行許可情報４１２の一例を示す。
【００５７】
表１に示すように、本実施形態の係る実行許可情報４１２は、複数のタグＩＤと、複数のタグＩＤのそれぞれに対する所定の画像処理の実行可否を示す情報とが対応づけて記憶されている。表１の例では、タグＩＤ「００００１」、「００００２」、「００００３」について、所定の画像処理の実行が許可されている。一方、タグＩＤ「００００４」、「００００５」、「００００６」について、所定の画像処理の実行が許可されていない。
【００５８】
例えば、タグＩＤ「００００１」のＮＦＣタグ１０３が画像形成装置１０１、又は画像形成装置１０１の近くに設置されている場合、利用者は、情報端末１０２をＮＦＣタグ１０３にかざすことにより、所定の画像処理を実行することができる。
【００５９】
また、例えば、タグＩＤ「００００１」のＮＦＣタグ１０３が、誰かに持ち去られてしまった場合等、管理者は、所定の画像処理の実行が許可されたタグＩＤ「００００２」のＮＦＣタグ１０３を新たに設置（例えば、貼り付け）することができる。これにより、利用者は、情報端末１０２を新たに設置されたタグＩＤ「００００２」のＮＦＣタグ１０３にかざすことにより、所定の画像処理を実行することができるようになる。
【００６０】
このとき、管理者は、持ち去られたタグＩＤ「００００１」のＮＦＣタグ１０３の「画像処理の実行可否」を、無効化手段４０６により「許可」から「不許可」に変更することが望ましい。或いは、管理者は、持ち去られたタグＩＤ「００００１」のＮＦＣタグ１０３を、無効化手段４０６により実行許可情報４１２から削除するものであっても良い。
【００６１】
尚、実行許可情報４１２の「画像処理の実行可否」の情報が「不許可」となっているタグＩＤを有するＮＦＣタグ１０３は、登録手段４０５による再登録を禁止することが望ましい。これにより、例えば、タグＩＤ「００００４」のＮＦＣタグ１０３を不正に持ち去った利用者によって、タグＩＤ「００００４」のＮＦＣタグ１０３が再登録され、不正に画像処理が行われることを防止することができる。
【００６２】
図４に戻って、画像形成装置１０１の機能構成の説明を続ける。
【００６３】
表示入力手段４０７は、例えば、実行許可情報４１２を表示し、管理者の無効化の操作等を受付ける手段である。表示入力手段４０７は、例えば、図２のオペレーションパネル２０９や、ＣＰＵ２０１で動作するプログラム等によって実現される。
【００６４】
認証手段４０８は、情報端末１０２の認証を行う手段であり、例えば、図２のＣＰＵ２０１で動作するプログラムによって実現される。認証手段４０８は、情報端末１０２から画像形成装置１０１に通信を要求するアプリケーションが、正式に承認されたアプリケーションであるかどうかを、例えば、アクセストークンを用いて認証する。認証手段４０８による認証が許可されない場合、情報端末１０２は、画像形成装置１０１と通信を行うことができない。
【００６５】
アクセストークンとは、認証に用いられる仕組みであり、識別情報や権限が記述されたデータ構造を有する。このデータ構造に従って、画像形成装置１０１は、情報端末１０２、又は情報端末１０２で動作するアプリケーションに、画像形成装置１０１にアクセスする権限を与えることができる。尚、アクセストークンは、画像形成装置１０１にアクセスするための認証情報の一例である。この認証情報は、例えば、記憶手段４０２に認証情報４１１として記憶されており、認証手段４０８は、この記憶された認証情報４１１を用いて、情報端末１０２、又は情報端末１０２で動作するアプリケーションの認証を行う。
【００６６】
（情報端末の機能構成）
情報端末１０２は、ＮＦＣ通信手段４１３、通信手段４１４、画像処理制御手段４１５、記憶手段４１６、登録制御手段４１７、表示入力手段４１８、読取手段４１９等を有する。
【００６７】
ＮＦＣ通信手段４１３は、ＮＦＣタグ（固有の識別情報を有する機器）１０３からタグＩＤ（固有の識別情報）を取得する手段であり、例えば、図３の近距離無線通信部３０８や、ＣＰＵ３０１で動作するプログラム等によって実現される。利用者が情報端末１０２をＮＦＣタグ１０３にかざすことにより、ＮＦＣ通信手段４１３とＮＦＣタグ１０３との間の距離が所定の距離以下になると、ＮＦＣ通信手段４１３は、ＮＦＣ通信によりＮＦＣタグ１０３からタグＩＤを含むタグ情報を受信する。
【００６８】
通信手段４１４は、情報端末１０２をネットワーク１０４と接続し、画像形成装置１０１との通信を行うための手段である。通信手段４１４は、例えば、図３の通信Ｉ／Ｆ部３０７や、ＣＰＵ３０１で動作するプログラム等によって実現される。
【００６９】
画像処理制御手段４１５は、ＮＦＣ通信手段４１３が取得したタグＩＤを含む画像処理要求を生成し、生成した画像処理要求を、通信手段４１４を介して画像形成装置１０１に送信することにより、画像形成装置１０１の画像処理を制御する。画像処理制御手段４１５は、例えば、図３のＣＰＵ３０１で動作するプログラムによって実現される。
【００７０】
記憶手段４１６は、例えば、画像処理制御手段４１５が送信した画像処理要求に応じて、画像形成装置１０１から受信したデータ（例えば、スキャンデータ等）を記憶する手段である。或いは、記憶手段４１６は、画像処理制御手段４１５が画像形成装置に印刷を要求する印刷データ等を記憶する。
【００７１】
登録制御手段４１７は、ＮＦＣ通信手段４１３が取得したタグＩＤを含む登録要求を生成し、生成した画像処理要求を、通信手段４１４を介して画像形成装置１０１に送信することにより、画像形成装置１０１の登録処理を制御する。登録制御手段４１７は、例えば、図３のＣＰＵ３０１で動作するプログラムによって実現される。
【００７２】
表示入力手段４１８は、アプリケーションの操作画面等を表示して、利用者の入力操作を受付ける手段であり、例えば、図３の表示入力部３０６等によって実現される。表示入力手段４１８は、例えば、情報端末１０２をＮＦＣタグ１０３にかざしてタグＩＤを取得した際に、画像処理要求を送信するのか、登録要求を送信するのか等を選択する操作画面等を表示し、利用者の選択を促す。
【００７３】
読取手段４１９は、ＱＲコード(登録商標)等の二次元コードを読取る手段であり、例えば、図３のカメラ部３０９や、ＣＰＵ３０１で動作するプログラム等によって実現される。
【００７４】
（ＮＦＣタグの機能構成）
ＮＦＣタグ１０３は、例えば、ＮＦＣ通信手段４２０と、記憶手段４２１とを有する。
【００７５】
ＮＦＣ通信手段４２０は、情報端末１０２とＮＦＣ通信を行う手段である。記憶手段４２１は、ＮＦＣタグ１０３の固有の識別情報であるタグＩＤと、情報端末１０２によって書込みを要求された画像形成装置１０１の接続情報等を含むタグ情報を記憶する。
【００７６】
ここで、ＮＦＣタグ１０３の記憶手段４２１が記憶するタグ情報について説明する。
【００７７】
【表２】
0006536092.tif 000003
表２は、ＮＦＣタグの記憶手段４２１が記憶する情報の一例を示す。
【００７８】
表２に示すように、ＮＦＣタグの記憶手段４２１は、タグＩＤ、認証用データ、ユーザエリア等のタグ情報を記憶している。
【００７９】
タグＩＤは、ＮＦＣタグ１０３の生産工場等で書き込まれるＮＦＣタグ１０３の固有の識別情報である。認証用データは、ＮＦＣタグ１０３の製造管理用のデータである。タグＩＤと認証情報は、情報端末１０２等により書換えを行うことはできない。従って、タグＩＤを読み出すことにより、ＮＦＣタグ１０３を一意に特定することができる。
【００８０】
ユーザエリアは、ＮＦＣタグライタ等の書込み装置や、情報端末１０２のＮＦＣ通信手段４１３等からの要求により、データの書込みが可能な領域である。表２の例では、ユーザエリアには、画像形成装置１０１のＩＰアドレス、無線ＬＡＮ用のＳＳＩＤ（Service Set Identifier）、無線ＬＡＮ用のＷＥＰ（Wired Equivalent Privacy）キー等の接続情報が記憶されている。
【００８１】
画像形成装置１０１のＩＰアドレスは、ネットワーク１０４等のＩＰネットワークにおいて、画像形成装置１０１に割り当てられた宛先情報である。無線ＬＡＮ用のＳＳＩＤは、無線ＬＡＮネットワークの識別情報である。無線ＬＡＮ用のＷＥＰキーは、無線ＬＡＮネットワークの暗号鍵である。
【００８２】
情報端末１０２が、画像形成装置１０１と同じネットワーク１０４に接続済の場合、情報端末１０２は、画像形成装置１０１のＩＰアドレスを用いて、画像形成装置１０１にアクセスすることができる。また、情報端末１０２が、画像形成装置１０１と同じネットワーク１０４に接続されていない場合、無線ＬＡＮ用のＳＳＩＤと、ＷＥＰキーも用いて、ネットワーク１０４に接続した後、ＩＰアドレスを用いて、画像形成装置１０１にアクセスすることができる。また、画像形成装置１０１が、Ｗｉ−Ｆｉ Ｄｉｒｅｃｔ機能等により自らネットワーク１０４を提供する場合、情報端末１０２は、無線ＬＡＮ用のＳＳＩＤと、ＷＥＰキーを用いて、画像形成装置１０１に直接、無線ＬＡＮ接続することができる。
【００８３】
尚、ＮＦＣタグ１０３は、所定のＮＦＣタグライタ、ＮＦＣタグリーダ等から非接触で電力を受電して動作する。本実施形態では、ＮＦＣタグ１０３は、情報端末１０２のＮＦＣ通信手段４１３から電力を受電して動作する。
【００８４】
＜処理の流れ＞
（画像形成処理）
図５は、第１の実施形態に係る画像形成処理の例を示すシーケンスチャートである。尚、図５において、情報端末１０２とＮＦＣタグ１０３との間の通信は、ＮＦＣ通信等の近距離無線通信によって行われるものとする。また、情報端末１０２と画像形成装置１０１との間の通信は、ＩＰネットワーク等のネットワーク１０４を介して行われるものとする。また、図中の破線の矢印は、利用者による操作を示す。
【００８５】
ステップＳ５０１において、利用者が情報端末１０２をＮＦＣタグ１０３にかざす（近接させる）ことにより、情報端末１０２は、ＮＦＣタグ１０３より、ＮＦＣタグ１０３の識別情報と、画像形成装置１０１の接続情報とを取得する（ステップＳ５０２）。尚、ＮＦＣタグ１０３の識別情報は、例えば、表２のタグＩＤに相当し、画像形成装置１０１の接続情報は、例えば、表２の画像形成装置のＩＰアドレス等に相当する。好ましくは、画像形成装置１０１の接続情報は、例えば、表２の無線ＬＡＮのＳＳＩＤ、無線ＬＡＮのＷＥＰキー等の情報を含む。
【００８６】
ステップＳ５０３において、情報端末１０２は、ＮＦＣタグ１０３からの識別情報の取得に応じて、画像形成装置１０１に認証要求を送信する。本実施形態では、情報端末１０２が送信する認証要求には、認証情報として前述したアクセストークンが含まれる。
【００８７】
ステップＳ５０４において、情報端末１０２から認証要求を受信した画像形成装置１０１の認証手段４０８は、記憶手段４０２に記憶した認証情報４１１を用いて、受信した認証情報（アクセストークン）の認証を行う。認証が許可された場合、画像形成装置１０１は、情報端末１０２との通信を許可し、認証が許可されたことを示す認証結果を情報端末１０２に送信する（ステップＳ５０５）。一方、認証が許可されなかった場合、画像形成装置１０１は、情報端末１０２との通信を拒否し、認証が許可されなかったことを示す認証結果を情報端末１０２に送信して処理を終了する。尚、図５の例では、認証が許可された場合の例を図示している。
【００８８】
ステップＳ５０６において、画像形成装置１０１から認証が許可されたことを示す認証結果を受信した情報端末１０２は、ステップＳ５０２で取得したＮＦＣタグ１０３のタグＩＤ（固有の識別情報）を含む画像処理要求（例えば、スキャン要求）を生成する。
【００８９】
ステップＳ５０７において、情報端末１０２は、生成した画像処理要求（要求情報の一例）を画像形成装置１０１に送信する。図５の例では、画像処理要求には、画像形成装置１０１に画像の読取りを要求するスキャン要求、ＮＦＣタグ１０３の識別情報であるタグＩＤ等が含まれる。
【００９０】
ステップＳ５０８において、情報端末１０２から要求情報を受信した画像形成装置１０１は、要求情報の要求種別を判断する（ステップＳ５０８）。図５の例では、受信した要求情報は、画像処理要求であるため、画像処理要求に含まれるタグＩＤと、実行許可情報４１２に、所定の画像処理が許可された識別情報として記憶されている１つ以上の識別情報とを照合する（ステップＳ５０９）。
【００９１】
ステップＳ５０９において、画像処理要求が、実行許可情報４１２に記憶された画像処理の実行が許可された識別情報を含む場合、画像形成装置１０１は、画像処理要求に基づいて要求された画像処理（スキャン）を実行する（ステップＳ５１０）。また、ステップＳ５１０における画像処理の実行によって生成されたデータ（スキャンデータ）を情報端末１０２に送信する（ステップＳ５１１）。
【００９２】
一方、ステップＳ５０９において、画像処理要求が、実行許可情報４１２に記憶された画像処理の実行が許可された識別情報を含まない場合、画像形成装置１０１は、要求された画像処理の実行を、例えば、拒否し、情報端末１０２に実行がキャンセルされたことを通知する（ステップＳ５１２）。或いは、画像形成装置１０１は、画像処理の実行を拒否する代わりに、画像処理要求を無視するものであっても良い。
【００９３】
上記処理により、本実施形態に係る画像処理システム１００よれば、情報端末１０２を画像形成装置１０１に登録されたＮＦＣタグ１０３にかざした場合のみ、画像形成装置１０１が所定の画像処理を行う仕組みを提供することができる。
【００９４】
（登録処理）
図６は、第１の実施形態に係る識別情報の登録処理の例を示すシーケンスチャートである。この登録処理により、例えば、管理者は、画像形成装置１０１に画像処理を要求するためのＮＦＣタグ１０３を新たに登録することができる。また、管理者は、画像形成装置１０１に画像処理を要求するためのＮＦＣタグ１０３を追加して登録することもできる。
【００９５】
尚、図６において、情報端末１０２とＮＦＣタグ１０３との間の通信は、ＮＦＣ通信等の近距離無線通信によって行われるものとする。また、情報端末１０２と画像形成装置１０１との間の通信は、ＩＰネットワーク等のネットワーク１０４を介して行われるものとする。また、図中の破線の矢印は、利用者による操作を示す。
【００９６】
ステップＳ６０１において、管理者は、画像形成装置１０１に予め定められた識別情報（タグＩＤ）の登録操作を行う。この操作に応じて、画像形成装置１０１は、例えば、識別情報の登録を行う登録モードに移行し、表示入力手段４０７に、例えば、ＱＲコード等の二次元コードを表示させる（ステップＳ６０２）。この二次元コードには、画像形成装置１０１の接続情報、例えば、表２の画像形成装置のＩＰアドレス、無線ＬＡＮのＳＳＩＤ、無線ＬＡＮのＷＥＰキー等が含まれる。
【００９７】
ステップＳ６０３において、管理者は、情報端末１０２に予め定められた識別情報の登録操作を行う。この操作に応じて、情報端末１０２は、例えば、識別情報の登録モードに移行し、読取手段４１９により二次元コードの読取りが行えるようになる。管理者は、例えば、情報端末１０２の表示画面を見ながら、二次元コードを読取可能な位置、向きに情報端末１０２を移動させる。これにより、情報端末１０２は、画像形成装置１０１の表示入力手段４０７に表示された二次元コードを読取り、画像形成装置１０１の接続情報を取得することができる（ステップＳ６０４）。
【００９８】
ステップＳ６０５において、管理者は、情報端末１０２をＮＦＣタグ１０３にかざす（近接させる）。これに応じて、情報端末１０２は、ＮＦＣタグ１０３に画像形成装置１０１の接続情報の書込みを要求する（ステップＳ６０６）。
【００９９】
ステップＳ６０７において、情報端末１０２から画像形成装置１０１の接続情報の書込みを要求されたＮＦＣタグ１０３は、記憶手段４２１のユーザエリア等に画像形成装置１０１の接続情報を記憶する。これにより、ＮＦＣタグ１０３は、例えば、表２に示すようなタグ情報を有するようになる。
【０１００】
ステップＳ６０８において、情報端末１０２は、ＮＦＣタグ１０３から、ＮＦＣタグ１０３の識別情報（タグＩＤ）を取得する。また、情報端末１０２は、ＮＦＣタグ１０３からのタグＩＤの取得に応じて、画像形成装置１０１に、ＮＦＣタグ１０３のタグＩＤの登録要求（要求情報の一例）を送信する（ステップＳ６０９）。
【０１０１】
情報端末１０２から、ＮＦＣタグ１０３のタグＩＤの登録要求を受信した画像形成装置１０１は、登録要求に含まれるタグＩＤを、記憶手段４０２に実行許可情報４１２として登録処理する（ステップＳ６１０）。登録処理されたタグＩＤは、例えば、表１の画像処理の実行可否が「許可」として登録される。タグＩＤの登録が完了すると、画像形成装置１０１は、情報端末１０２に登録が完了したことを通知する（ステップＳ６１１）。
【０１０２】
（認証の解除処理）
図７は、第１の実施形態に係る認証の解除処理の一例を示すシーケンスチャートである。この解除処理により、画像形成装置１０１は、情報端末１０２との接続を解除し、次の画像処理の受付けを行うことができるようになる。尚、図７のステップＳ５０１〜Ｓ５１１までの処理は、図５の画像処理の実行が許可された場合の処理と同様なので、ここでは差分を中心に説明を行う。
【０１０３】
ステップＳ５１１の画像処理されたデータの送信が完了すると、画像形成装置１０１は、情報端末１０２の認証解除の処理を行う（ステップＳ７０１）。ステップＳ７０１において認証が解除された後、画像形成装置１０１は、情報端末１０２から画像処理要求を受信すると（ステップＳ７０２）、例えば、画像処理の実行が不可であることを情報端末１０２に通知する（ステップＳ７０３）。また、画像形成装置１０１は、表示入力手段４０７にエラー表示を行うものであっても良い（ステップＳ７０４）。
【０１０４】
上記処理により、画像形成装置１０１は、情報端末１０２から要求された画像処理の終了に応じて情報端末１０２の認証を解除するので、他の利用者がすぐに次の処理を画像形成装置１０１に要求することができるようになる。また、同じ利用者が続けて処理を行いたい場合は、再度、情報端末１０２をＮＦＣタグ１０３にかざして、図５の画像形成処理を開始すれば良い。
【０１０５】
図８は、第１の実施形態に係る認証の解除処理の別の一例を示すシーケンスチャートである。図７の認証の解除処理では、利用者は、１つの画像処理を行う毎に情報端末１０２をＮＦＣタグ１０３にかざす必要があった。しかし、画像形成装置１０１は、画像処理を終えた後の所定の期間、情報端末１０２からの次の処理を受付け可能なものであっても良い。
【０１０６】
尚、図８のステップＳ５０１〜Ｓ５１１の処理は、図５の画像処理の実行が許可された場合の処理と同様なので、ここでは差分を中心に説明を行う。
【０１０７】
画像形成装置１０１は、例えば、図８のステップＳ５１１において、画像処理されたデータの送信が完了した後、画像形成装置１０１は所定の期間（例えば５分）のタイマによる計時を開始する（ステップＳ８０２）。また、画像形成装置１０１は、ステップＳ８０２で計時を開始したタイマが満了すると、情報端末１０２の認証を解除する（ステップＳ８０３）。このような処理のより、利用者は、画像処理を行う毎に、画像処理毎に情報端末１０２をＮＦＣタグ１０３にかざすことなく、複数の画像処理を続けて実行することができるようになる。
【０１０８】
また、画像形成装置１０１は、図８のステップＳ８０１に示すように、ステップＳ５０５で認証結果を送信した後、同様のタイマをスタートさせて、所定の期間、情報端末１０２からの画像処理要求を待つものであっても良い。これにより、画像形成装置１０１は、情報端末１０２の認証を承認した後、所定の時間以上画像処理要求が行われない場合、情報端末１０２の認証を解除し、他の利用者（情報端末）からの画像処理要求を受付けることができるようになる。
【０１０９】
（実行許可情報の変更処理）
図９は、第１の実施形態に係る実行許可情報の変更処理の例を示すシーケンスチャートである。画像形成装置１０１の実行許可情報４１２は、管理者等により、例えば、登録済のタグＩＤの削除、画像処理の実行可否情報の変更等の変更処理が可能である。
【０１１０】
ステップＳ９０１において、例えば、画像形成装置１０１の管理者は、画像形成装置１０１に実行許可情報４１２の変更開始の操作を行う。
【０１１１】
ステップＳ９０２において、画像形成装置１０１は、記憶手段４０２に記憶した実行許可情報４１２を表示入力手段４０７に表示する。
【０１１２】
ステップＳ９０３において、管理者は、表示入力手段４０７より、実行許可情報４１２の編集、例えば、タグＩＤの削除や、画像処理の実行可否を不許可に変更する等の無効化処理を行うことができる。また、ステップＳ９０３において、管理者は、実行許可情報４１２の追加、修正等の変更処理も行うことができるものであっても良い。
【０１１３】
ステップＳ９０４において、画像形成装置１０１は、変更された実行許可情報４１２を記憶（更新）する。
【０１１４】
この処理により、管理者は、例えば、ＮＦＣタグ１０３が誰かに持ち去られてしまった場合等、持ち去られたＮＦＣタグ１０３の実行許可情報４１２から削除して、持ち去られたＮＦＣタグ１０３による画像形成装置１０１の不正利用を低減させることができる。
【０１１５】
［第２の実施形態］
第１の実施形態では、画像形成装置１０１が記憶する実行許可情報４１２には、1つ以上のタグＩＤを記憶可能であるものとして説明を行った。本実施形態では、画像形成装置１０１が記憶する実行許可情報４１２が、１つのタグＩＤを記憶する場合の例について説明する。
【０１１６】
尚、本実施形態におけるシステム構成図、及び機能構成図は、第１の実施の形態と同様である。また、本実施形態では、表１の実行許可情報４１２に１つのタグＩＤが記憶され、画像形成装置１０１は、実行許可情報４１２に記憶された１つのタグＩＤについて画像処理を許可するものとする。
【０１１７】
図１０は、第２の実施形態に係る識別情報の登録処理の例を示すシーケンスチャートである。図１０において、ステップＳ６０１〜Ｓ６０９の処理は、図６に示す第１の実施形態に係る登録処理と同様なので、ここでは差分を中心に説明する。
【０１１８】
画像形成装置１０１は、ステップＳ６０９で情報端末１０２から、ＮＦＣタグ１０３のタグＩＤの登録要求を受信すると、実行許可情報４１２に記憶された１つのタグＩＤに受信したタグＩＤを上書きする（ステップＳ１００１）。タグＩＤの登録が完了すると、画像形成装置１０１は、情報端末１０２に登録が完了したことを通知する（ステップＳ１００２）。
【０１１９】
本実施形態では、画像形成装置１０１が記憶する実行許可情報４１２には１つのタグＩＤしか記憶することができないので、新たなタグＩＤを登録すると、今まで登録されていたタグＩＤが自動的に消去される。従って、管理者は、図９の変更処理等によりタグＩＤの無効化処理によらずに、更新前のＮＦＣタグ１０３を用いた画像形成装置１０１の不正利用を低減させることができる。
【０１２０】
＜まとめ＞
本実施形態の画像処理装置（１０１）は、固有の識別情報を有する機器（１０３）から前記固有の識別情報を取得する取得手段（４１３）を有する情報処理装置（１０２）から、前記取得した固有の識別情報を含む要求情報を受信する受信手段（４０９）を有する。また、画像処理装置（１０１）は、画像処理の実行が許可された識別情報を記憶する記憶手段（４０２）を有する。さらに、画像処理装置（１０１）は、前記受信した要求情報が、所定の画像処理を要求する画像処理要求であり、かつ前記画像処理の実行が許可された識別情報を含む場合、前記画像処理要求に基づいて前記所定の画像処理を実行する画像処理手段（４０４）を有する。
【０１２１】
上記構成により、例えば、画像処理装置（１０１）は、記憶手段（４０９）に記憶した画像処理の実行が許可された識別情報を含む画像処理要求を受信した場合に、受信した画像処理要求に応じた画像処理を行う。従って、画像処理装置（１０１）は、記憶手段（４０９）に記憶した識別情報を含まない画像処理要求等による、画像処理装置（１０１）の不正な利用を抑制することができる。また、画像処理要求に含まれる固有の識別情報は、情報処理装置（１０２）の取得手段（４１３）により取得するので、画像処理を行う利用者による認証情報等の設定作業を低減させることができる。
【符号の説明】
【０１２２】
１００    画像処理システム
１０１    画像形成装置（画像処理装置）
１０２    情報端末（情報処理装置）
１０３    ＮＦＣタグ（固有の識別情報を記憶する機器）
４０１    送信手段
４０２    記憶手段
４０４    画像処理手段
４０５    登録手段
４０６    無効化手段
４０９    受信手段
４１２    実行許可情報
４１３    ＮＦＣ通信手段（取得手段）
４１４    通信手段（送信手段）
【先行技術文献】
【特許文献】
【０１２３】
【特許文献１】特開２０１４−７６７７号公報
【図１】
0006536092.tif 000004
【図２】
0006536092.tif 000005
【図３】
0006536092.tif 000006
【図４】
0006536092.tif 000007
【図５】
0006536092.tif 000008
【図６】
0006536092.tif 000009
【図７】
0006536092.tif 000010
【図８】
0006536092.tif 000011
【図９】
0006536092.tif 000012
【図１０】
0006536092.tif 000013